(57)【要約】【課題】ユーザが希望する楽曲の録音を確実に行うことができ、また、録音された楽曲のファイル管理の容易な受信装置を提供する。【解決手段】本発明に係る受信装置１は、ユーザの操作により受信中の楽曲の曲名及びアーティスト名を記憶しておき、受信する全番組の管理データに含まれる曲名及びアーティスト名が先に記憶した曲名及びアーティスト名と一致した場合には、自動的に録音を行う。また、管理データ中の楽曲情報に従い、録音する楽曲毎に記録するファイルを変更する。【選択図】図１１
2007124039.tif 000002
【特許請求の範囲】
【請求項１】
所定のチャンネルの放送を受信しているとき、前記所定のチャンネルを含む複数のチャンネルの番組で放送される楽曲についての楽曲情報を含むデータを受信する受信部と、
前記データに含まれる楽曲情報のうちユーザによって選択された楽曲情報を記憶する第１の記憶部と、
前記受信部の受信した楽曲情報と前記第１の記憶部に記憶された楽曲情報との照合を行う照合部と、
前記照合部において前記受信部の受信した楽曲情報と前記第１の記憶部に記憶された楽曲情報とが同一であると判断された場合に、前記受信部の受信した楽曲情報に係る楽曲データを記憶する第２の記憶部とを備えたことを特徴とする受信装置。
【請求項２】
前記第１の記憶部は、前記楽曲情報のうち少なくとも曲名およびアーティスト名について記憶することを特徴とする請求項１記載の受信装置。
【請求項３】
前記第１の記憶部は、前記曲名およびアーティスト名を外部からの指示に基づいて決定することを特徴とする請求項２に記載の受信装置。
【請求項４】
前記第２の記憶部は、前記受信部の受信した楽曲データを記憶する際に、前記第１の記憶部に記憶された前記楽曲情報毎に異なるファイルにより記憶することを特徴とする請求項１から３いずれか記載の受信装置。
【請求項５】
前記第２の記憶部は、外部からの指示があった際には前記第１の記憶部に記憶された楽曲情報にかかわらず前記受信部の受信した楽曲データを記憶することを特徴とする請求項１から４いずれか記載の受信装置。
【発明の詳細な説明】
【技術分野】
【０００１】
本発明は、デジタル放送を受信する受信装置、特にユーザが気に入った楽曲を自動的に録音することのできる受信装置に関する。
【背景技術】
【０００２】
携帯容易なデジタルテレビ／ラジオ受信装置と、このような携帯用受信装置を対象とした放送システムが開発され、専用の番組放送も開始されている。このような受信装置は携帯容易とするため、小型化が図られている。
【０００３】
更に、このような携帯用受信装置では、映像や音楽をデジタルデータで受信するので、これらのデータを記録することで、比較的高画質、高音質なデータを保存することが可能である。
【０００４】
デジタル放送を受信し、放送される楽曲等を録音する場合に、当該楽曲の曲名やアーティスト名を記録する技術が開示されている（例えば、特許文献１参照。）。
【特許文献１】特開２００３−５９２４６号公報
【発明の開示】
【発明が解決しようとする課題】
【０００５】
しかし、ラジオ放送より楽曲を録音する場合、流れる曲を気に入りそれを録音しようとしても、その時点では既に曲の一部は放送済みであって全曲を録音することはできない。また、事前に番組中に放送される１曲毎に放送予定を熟知し、それに合わせて録音を行うことは難しい。
また、特許文献１の発明においては、音楽録音中にユーザの操作で曲名やアーティスト名を記録するものであり、タイマー録音には対応していない。更に、複数の楽曲を連続して録音する場合には、複数の楽曲で１つのファイルを形成してしまうので、曲名等によるファイル管理は難しい。
【０００６】
従って、本発明の目的は、ユーザが希望する楽曲の録音を確実に行うことができ、また、録音された楽曲のファイル管理の容易な受信装置を提供することにある。
【課題を解決するための手段】
【０００７】
本発明に係る受信装置は、所定のチャンネルの放送を受信しているとき、前記所定のチャンネルを含む複数のチャンネルの番組で放送される楽曲についての楽曲情報を含むデータを受信する受信部と、前記データに含まれる楽曲情報のうちユーザによって選択された楽曲情報を記憶する第１の記憶部と、前記受信部の受信した楽曲情報と前記第１の記憶部に記憶された楽曲情報との照合を行う照合部と、前記照合部において前記受信部の受信した楽曲情報と前記第１の記憶部に記憶された楽曲情報とが同一であると判断された場合に、前記受信部の受信した楽曲情報に係る楽曲データを記憶する第２の記憶部とを備えたことを特徴とする受信装置を提供する。
【０００８】
上記第１の記憶部は、前記楽曲情報のうち少なくとも曲名およびアーティスト名について記憶するものであってもよい。
【０００９】
また、上記第１の記憶部は、前記曲名およびアーティスト名を外部からの指示に基づいて決定するものであってもよい。
【００１０】
上記第２の記憶部は、前記受信部の受信した楽曲データを記憶する際に、前記第１の記憶部に記憶された前記楽曲情報毎に異なるファイルにより記憶するものであってもよい。
【００１１】
また、上記第２の記憶部は、外部からの指示があった際には前記第１の記憶部に記憶された楽曲情報にかかわらず前記受信部の受信した楽曲データを記憶ものであってもよい。
【発明の効果】
【００１２】
本発明によれば、ユーザが気に入った楽曲を放送時に自動的に録音することができ、また、１楽曲毎に１つのファイルを形成することでファイル管理を容易にすることができる。
【発明を実施するための最良の形態】
【００１３】
以下、図面を参照しながら本発明の実施の形態について説明する。
【００１４】
（システムの構成）
図１は、本発明の実施の形態に係る受信システムの概略構成を示す。この受信システムは、地上に設置され、テレビ番組放送やラジオ番組放送などの複数のデジタル放送を送信可能な放送基地局２と、放送基地局２からの放送電波を宇宙空間に位置する放送衛星３を介して受信する受信装置１とから概略構成されている。
【００１５】
なお、図１は衛星放送を受信する場合の例を示したものであるが、本発明に係る受信装置１は、これに限らず、地上波放送を受信するもの、ケーブル等の伝送媒体を介して受信するもの、双方向で受信するものなどであってもよい。
【００１６】
受信装置１は、複数の放送の中から好みの番組を選択し、視聴することができるものであり、アンテナや電子回路等を内蔵した本体部４と、本体部４の上部にヒンジ部１ａによって開閉自在に設けられたラップトップ部５とを有する。
【００１７】
本体部４は、上面に各種のスイッチを備えた操作部６が設けられ、前面に、スピーカ７、ヘッドホン端子８、および後述するメモリーカードが挿入されるスロット９が設けられている。なお、スピーカ７およびヘッドホン端子８は、音声出力部を構成する。
【００１８】
ラップトップ部５は、液晶ディスプレイ，有機ＥＬディスプレイ等の表示部１９を備える。
【００１９】
ユーザがテレビ番組の視聴を望む場合には、表示部１９に番組画像が表示され、音声出力部から番組音声が発生する。また、ユーザがラジオ番組の聴取を望む場合には、音声出力部から番組音声が発生すると同時に、表示部１９には、放送中の番組や楽曲の内容に関する情報等が表示される。テレビ番組かラジオ番組かの選択は操作部６の操作によって行われる。
【００２０】
（受信装置１の内部構成）
図２は、受信装置１の内部構成を示すブロック図である。受信装置１は、アンテナ１１、チューナ１２、トランスポートストリーム（ＴＳ）データ分離部１３、ＣＰＵ１４、メモリーカードコントローラ１５、内部記憶部１６、デジタル・シグナル・プロセッサ（ＤＳＰ）１７、グラフィックコントローラ１８、表示部１９、Ｄ／Ａコンバータ２０および音声出力部２１を備える。
【００２１】
アンテナ１１は、放送基地局２より出力され、放送衛星３を介して送信される衛星放送番組に関する放送電波を受信するものであり、受信した放送電波を電気信号に変換してチューナ１２に送信する。
【００２２】
チューナ１２は、アンテナ１１より送信されたデジタル放送信号から必要なデータを選択し、ＴＳデータ分離部１３へと送信する。
【００２３】
ＴＳデータ分離部１３は、チューナ１２より受信したデジタル放送信号について、番組映像や番組音声に関する映像／音楽データと、ＥＰＧデータや管理データ等の管理情報データとに分離し、管理情報データをＣＰＵ１４に、映像／音声データをＤＳＰ１７に、それぞれ送信する。
【００２４】
ＣＰＵ１４は、受信装置１における各機能の制御を司るものであり、各構成部に対して信号を送信し、各種動作を実行させる。また、受信した管理データの内部記憶部１６への格納や読込等におけるデータの移動の制御を行う。
【００２５】
メモリーカードコントローラ１５は、外部記憶装置２３となるメモリーカード等を制御し、録画／録音した番組データの読み書きを行う。
【００２６】
内部記憶部１６は、受信装置１を駆動させるためにＣＰＵ１４に実行させるプログラムの格納や、当該プログラムに用いられる各種パラメータ、管理情報データ等の一時的な格納、録画／録音した番組データの格納のために用いられるものであり、具体的には、ＲＯＭ，ＲＡＭ，ＨＤＤなどが該当する。
【００２７】
ＤＳＰ１７は、ＴＳデータ分離部１３より受信した映像／音声データの演算処理を行う。そして、映像データをグラフィックコントローラ１８に、音声データをＤ／Ａコンバータに、それぞれ送信する。
【００２８】
グラフィックコントローラ１８は、ＤＳＰ１７より受信した映像データを、表示部１９で表示可能となるように処理をする。そして処理されたデータを表示部１９へ送信する。
【００２９】
表示部１９は、グラフィックコントローラ１８より受信した映像データをモニタ上に表示する。表示される画像は、衛星放送によるテレビ番組の画像や、音声番組に関する文字情報、受信装置１の機器設定に関する情報等である。
【００３０】
Ｄ／Ａコンバータ２０は、ＤＳＰ１７より受信した音声データを、デジタルデータからアナログデータに変換する。変換されたアナログ音声データは、音声出力部２１へ送信する。
【００３１】
音声出力部２１は、Ｄ／Ａコンバータ２０より受信したアナログ音声データを音声に変換し、出力を行うものであり、アンプ、スピーカ７、ヘッドホン端子８等を備える。
【００３２】
図３は、操作部６の詳細を示す。操作部６は、表面の上下左右に三角マーク６１ａ〜６１ｄを有するドーナツ状のカーソルボタン６０と、そのカーソルボタン６０の内側に配置された円形の決定ボタン６２と、細長形状のバックボタン６３、番組リストボタン６４、およびその他のボタン６５ａ〜６５ｄとを備える。カーソルボタン６０、決定ボタン６２、バックボタン６３および番組リストボタン６４については後述する。６５ａは、録音データの再生を停止するストップボタン、６５ｂは、データ情報サービスを表示させるボタン、６５ｃは、メモリーカードに記録されているメモのリストを表示させるボタン、６５ｄは、クイックメニューと設定メニューを表示させるクイック／設定ボタンである。
【００３３】
（受信装置の動作）
次に、受信装置１の動作について図を参照して説明する。
【００３４】
図４は、デジタル放送信号の流れを示す。放送基地局２から送信されたテレビ番組およびラジオ番組の放送電波が放送衛星３を介して受信装置１に到達する。受信装置１は、放送基地局２からの放送電波をアンテナ１１で受信する。アンテナ１１が受信する放送電波には、ＥＰＧデータ、ｎチャンネルの音声データ（または映像データ）および管理データ等からなるデジタル放送信号が含まれる。なお、同図では、映像データは図示を省略している。
【００３５】
ユーザは、操作部６の番組リストボタン６４を押下し、視聴を希望するテレビ番組あるいはラジオ番組を選択する。ここでは、ラジオ番組を選択したとする。
【００３６】
チューナ１２は、アンテナ１１により受信したデジタル放送信号のうち、ＥＰＧデータ、操作部６により選択されたチャンネル（例えば、チャンネル２）の音声データ、ｎチャンネルの管理データをＴＳデータ分離部１３に出力する。
【００３７】
ＴＳデータ分離部１３は、チューナ１２からのデジタル放送信号を、音声データとＥＰＧデータおよび管理データ等の管理情報データに分離し、音声データをＤＳＰ１７に送信し、管理情報データをＣＰＵ１４に渡す。
【００３８】
ＣＰＵ１４は、管理情報データを内部記憶部１６に記憶するとともに、管理情報データに基づいて音声受信画面を作成する。また、ＣＰＵ１４は、内部記憶部１６に記憶された管理情報データを一定時間（例えば数秒）毎に更新するようにしている。ある一つのチャンネルを視聴しているときでも、デジタル放送信号は常時受信しているので、視聴しているチャンネル以外のデジタル放送信号もリアルタイムで取得し、更新することができる。
【００３９】
（１）音声受信画像の作成
図５は、音声受信画像の作成を説明するための図である。ＣＰＵ１４が受け取る管理データには、チャンネル名、放送局名、番組名、放送時間、ジャンル等の番組情報と、演奏時間，曲名，アーティスト名等の番組要素とからなる。
図５（ａ）は、チャンネル毎のチャンネル名、番組名、ジャンル等からなるチャンネル情報２０１と、演奏時間、曲名、アーティスト名等の楽曲情報２０２とからなる管理情報データのリストである。放送局２から送信される放送電波には、各チャンネルのチャンネル情報２０１と、管理情報リストに含まれる楽曲情報２０２のうち、現在放送中の楽曲に関する放送中楽曲情報２０３が包含されている。
ＣＰＵ１４は、図５（ａ）に示すような放送電波に含まれるチャンネル毎のチャンネル情報２０１及び放送中楽曲情報２０３を内部記憶部１６から読み出し、図５（ｂ）に示すような音声受信画面１００を作成し、表示部１９に表示する。
【００４０】
図５（ｂ）は、その音声受信画面の一例を示す。この音声受信画面１００には、上方から順に、選択項目表示エリア１１０、受信中表示エリア１２０、リスト画面１３０、および操作案内部１４０が表示される。
【００４１】
選択項目表示エリア１１０には、受信中の番組名１１１と、現在時刻１１２が表示される。
【００４２】
受信中表示エリア１２０は、受信中のチャンネル情報及び楽曲情報が表示されるエリアである。受信中表示エリア１２０に表示されるチャンネル情報及び楽曲情報には、チャンネル名、放送局名、曲名、アーティスト名等が含まれる。
【００４３】
リスト画面１３０には、受信中のチャンネルを含む所定数のチャンネルにおける現在放送中の楽曲情報、画面１３０の中央に固定して設けられたカーソル１３１、および受信中であることを示す受信中マーク１３２が表示されている。同図に示す場合は、チャンネル（００２）が選択され、そのチャンネルにおけるチャンネル情報及び放送中楽曲情報が受信中表示エリア１２０に表示され、４チャンネル（００１〜００４）の放送中楽曲情報がリスト画面１３０に表示されている状態を示している。
【００４４】
また、リスト画面１３０に表示される楽曲情報は、曲名及びアーティスト名である。また、リスト画面１３０に表示される楽曲情報は、図３のカーソルボタン６０の上下の三角マーク６１ａ及び６１ｂの操作によりスクロールさせ、画面１３０に表示しきれない楽曲情報も表示させて確認することができる。
【００４５】
なお、それぞれのチャンネルにおいて放送中の番組内で楽曲の放送がなされていない場合には、楽曲情報はブランク（空白）となる。図５（ｂ）においては、チャンネル（００４）がその例である。
【００４６】
操作案内部１４０には、受信チャンネルの選択１４１、表示モードの表示切換１４２、選択した受信チャンネルの決定１４３、および前回選択したチャンネルに戻すキャンセル１４３が表示されている。これらの表示に対応する操作部６のボタンを操作することにより、それぞれの機能が実行される。
【００４７】
（２）選局の変更
図６（ａ）、（ｂ）は、選局の変更を説明するための図である。操作案内部１４０の選択１４１に対応して図３のカーソルボタン６０の上下の三角マーク６１ａ及び６１ｂの部分を押下することにより、リスト画面１３０を上下にスクロールさせ、カーソル１３１に所望の受信チャンネルを位置させた後、決定１４３に対応する決定ボタン６２を押下することにより、所望の受信チャンネルを選択し、受信することができる。例えば、受信中のチャンネル（００２）をチャンネル（００３）に切り換える場合、カーソルボタン６０を操作して図６（ａ）に示すようにリスト画面１３０を上方へスクロールさせてカーソル１３１の位置にチャンネル（００３）の表示を移動させ、決定ボタン６２を押下する。すると、図６（ｂ）に示すように、受信中マーク１３２がチャンネル（００３）に移動し、受信中表示エリア１２０にチャンネル（００３）のチャンネル情報及び楽曲情報が表示され、音声出力部２１からチャンネル（００３）の番組音声が発生する。
【００４８】
（３）楽曲情報の記憶
図７（ａ）、（ｂ）は、楽曲情報の記憶を説明するための図である。番組聴取中に気に入った音楽が再生されていたとき、その他のボタン６５のうちの、楽曲情報の記憶に対応するボタンを押下すると、モニタ上の表示が図７（ａ）に示すような表示内容となる。
【００４９】
図７（ａ）は、曲名・アーティスト名記憶画面１５０の表示例である。モニタ上には、表示されていた音声受信画面１００に重なるように、新たな画面である曲名・アーティスト名記憶画面１５０が表示される。曲名・アーティスト名記憶画面１５０には、現在放送中の楽曲情報より抽出された曲名表示１５１及びアーティスト名表示１５２が表示される。その下には記録選択表示１５３及びＣＨ（チャンネル）切替選択表示１５４が表示される。
【００５０】
記録選択表示１５３及びＣＨ切替選択表示１５４は、ユーザによっていずれか一方だけが選択可能であり、記録選択表示１５３が選択された場合には、次回に当該楽曲の楽曲情報を受信した際に、その放送局に受信チャンネルを切替え、且つ当該楽曲の記録を行う。一方、ＣＨ切替選択表示１５４が選択された場合には、次回に当該楽曲の放送を受信した際に、その放送局に受信チャンネルを切替えて音声を発生させるのみで、当該楽曲の記録は行わない。
【００５１】
曲名・アーティスト名記憶画面１５０の下方部分には、情報記録決定ボタン１５５と情報記録不決定ボタン１５６とが表示される。情報記録決定ボタン１５５と情報記録不決定ボタン１５６は、ユーザによっていずれか一方だけが選択可能であり、情報記録決定ボタン１５５が選択された場合には、曲名表示１５１及びアーティスト名表示１５２に表示された楽曲情報を記憶する。一方、情報記録不決定ボタン１５６が選択された場合には、楽曲情報を記憶することなく、曲名・アーティスト名記憶画面１５０の表示が終了される。
【００５２】
図７（ｂ）は、登録楽曲情報確認画面１６０の表示例である。登録楽曲情報確認画面１６０には、記憶された楽曲情報がリストとして表示される。各楽曲情報はアーティスト名毎に区分されて表示される。登録楽曲情報確認画面１６０には、記憶された楽曲情報に含まれるアーティスト名がアーティスト名表示１６１として表示される。更に、アーティスト名表示１６１に従属するように、記憶された楽曲情報に含まれる当該アーティストの曲名が、曲名表示１６２として表示される。
【００５３】
それぞれの曲名表示１６２には対応するように記録選択表示１６３とＣＨ切替選択表示１６４が表示される。これらの表示は、図７（ａ）の曲名・アーティスト名記憶画面１５０における設定に従って表示される。曲名・アーティスト名記憶画面１５０において記録選択表示１５３が選択された曲に対しては、記録選択表示１６３とＣＨ切替選択表示１６４の双方にチェックがされ、曲名・アーティスト名記憶画面１５０においてＣＨ切替選択表示１５４が選択された曲に対しては、ＣＨ切替選択表示１６４のみにチェックがされる。記録選択表示１５３が選択された曲に対してＣＨ切替選択表示１６４もチェックがされるのは、当該曲の記録を行うためには必ずｃｈの切替も必要となるからである。
【００５４】
（４）楽曲記録の流れ
図８は、本発明に係る受信装置を用いて予め設定した音楽の録音を行う様子を示す図である。
【００５５】
まず、図８（ａ）に示すように、ユーザ１０が受信装置１よりラジオ番組を聴取しているときに流れてきた曲に興味を持ったとする。その時点では、既に曲の一部は流れてしまった後であるので、その曲の全てを録音することはできない。また、次にその曲が放送されるときに録音しようと思っても、次にいつ放送されるかは判らない。
【００５６】
そこで、図８（ｂ）に示すように、上述した曲名・アーティスト名記憶画面１５０を用いて、今流れている曲の曲名とアーティスト名を受信装置１に記憶させる。
【００５７】
そして、図８（ｃ）に示すように、受信した全放送の管理データ中に記憶した曲名とアーティスト名と一致する曲が含まれていた場合には、受信するチャンネルをその曲を放送するチャンネルへと切替え、その曲の記録を開始する。
【００５８】
このような動作により、ユーザ１０の気に入った曲を自動的に録音することが可能となる。
【００５９】
（５）ファイルの作成方法
図９は、本発明に係る受信装置において受信した音楽を記録する際のファイル作成の方法を示す図である。
【００６０】
図９（ａ）に示すように、音楽番組１７０において、楽曲１（１７１）、楽曲２（１７２）、楽曲３（１７３）、楽曲４（１７４）、楽曲５（１７５）の順で放送がされている。このとき、ユーザ１０が楽曲２（１７２）から楽曲４（１７４）までを録音したとする。
【００６１】
このような場合、従来の記録方法によれば、得られた録音データ１８１は、図９（ｂ）に示すような、録音開始から終了までで１つのデータとして記録される。そのため、録音日時等のデータは情報として記録されるが、そのデータに含まれる楽曲に関するデータは記録されなかった。
【００６２】
一方、本発明に係る受信装置１において録音を行った場合には、管理データに基づいて録音開始や終了の制御を行うので、楽曲毎に分離されたデータの記録が可能となる。その結果、図９（ｃ）に示すような、楽曲２データ１８２、楽曲３データ１８３、楽曲４データ１８４の３つのデータが記録される。そして、それぞれのデータには、管理情報に含まれていた曲名やアーティスト名の情報も併せて記録されるので、ユーザ１０は、それぞれのファイルがどの楽曲のものであるかを、容易に把握することが可能となる。
【００６３】
（６）動作フローチャート
以下、本発明に係る受信装置１における音声データの録音動作について、フローチャートを用いて説明する。尚、以下の説明において特に記載のない限り、その動作はＣＰＵ１４が行うものとする。
【００６４】
図１０は、放送受信中にユーザ１０の操作により記録が開始される場合の動作フローチャートである。
【００６５】
最初に、ラジオ番組を受信中にユーザ１０により録音開始ボタンが押下されることにより、本プログラムが実行される。そして、内部記憶部１６又は外部記憶装置２２のいずれかに音楽データを記録するための記録ファイルを作成させる（ステップＳ１０１）。内部記憶部１６と外部記憶装置２２のいずれに記録ファイルを作成するかは、予め設定しておくことも可能であり、録音開始ボタンが押下時にユーザ１０に選択させることも可能である。記録ファイルが作成された後、音楽データの記録を開始する（ステップＳ１０２）。
【００６６】
次に、ユーザによる記録停止要求があったか否かの判断がなされる（ステップＳ１０３）。ユーザ１０が録音停止ボタンを押下した旨の信号を操作部６より受信していないと判別した場合には（Ｓ１０３：Ｎｏ）、続いて曲情報に変化があったか否かの判断がなされる（ステップＳ１０４）。
【００６７】
受信する管理データの解析により、受信中番組の楽曲情報が更新されていないと判別した場合には（Ｓ１０４：Ｎｏ）、引き続きその楽曲データの記録を継続し、ステップＳ１０３へ処理を戻す。一方、受信中番組の楽曲情報が更新されたと判別した場合には（Ｓ１０４：Ｙｅｓ）、現在記録されていた楽曲データのファイルを閉鎖させ（ステップＳ１０５）、ステップＳ１０１へ処理を戻して新たな記録ファイルを作成させてそのファイルに次の楽曲の記録を開始させる。
【００６８】
上述のステップＳ１０３において、ユーザ１０が録音停止ボタンを押下した旨の信号を操作部６より受信したと判別した場合には（Ｓ１０３：Ｙｅｓ）、直ちに現在記録中のファイルを閉鎖させ（ステップＳ１０６）、本プログラムを終了する。
【００６９】
このような動作により、ラジオ放送受信中にユーザの操作により録音が開始された場合において、自動的に楽曲毎に異なるファイルに記録することができるので、その後のファイル管理が容易となる。
【００７０】
図１１は、データベースに登録された楽曲が放送された際に自動的に記録が開始される場合の動作フローチャートである。
【００７１】
最初に、受信中の各番組の管理データにおいて曲情報に変化があったか否かの判断がなされる（ステップＳ１１１）。曲情報に変化がなかったと判別した場合には（Ｓ１１１：Ｎｏ）、後述するステップＳ１１９へ処理を移し、曲情報に変化があったと判別した場合には（Ｓ１１１：Ｙｅｓ）、更新された曲情報の曲名及びアーティスト名がデータベース登録されたものであるか否かを判断する（ステップＳ１１２）。
【００７２】
更新された曲情報の曲名及びアーティスト名が、データベースに登録されたものでないと判別した場合には（Ｓ１１２：Ｎｏ）、後述するステップＳ１１９へ処理を移し、データベースに登録されたものであると判別した場合には（Ｓ１１２：Ｙｅｓ）、続いて当該楽曲を放送するチャンネルが現在受信中のチャンネルであるか否かを判別する（ステップＳ１１３）。
【００７３】
当該楽曲を放送するチャンネルが現在受信中のチャンネルであると判別した場合には（Ｓ１１３：Ｙｅｓ）そのまま、現在受信中のチャンネルでないと判別した場合には（Ｓ１１３：Ｎｏ）当該楽曲を放送するチャンネルへと選局を切替えた後（ステップＳ１１４）、当該楽曲を記録するか否かの判断を行う（ステップＳ１１５）。
【００７４】
データベースの記録より、チャンネルを切替えるのみで当該楽曲を記録しないと識別した場合には（Ｓ１１５：Ｎｏ）、後述するステップＳ１１９へ処理を移し、当該楽曲を記録すると識別した場合には（Ｓ１１５：Ｙｅｓ）、当該楽曲の記録を開始する（ステップＳ１１６）。
【００７５】
次に、受信中のチャンネルの管理データにおいて曲情報に変化があったか否かの判断がなされる（ステップＳ１１７）。受信する管理データの解析により、受信中番組の楽曲情報が更新されていないと判別した場合には（Ｓ１１７：Ｎｏ）、本ステップの処理を繰り返し、受信中番組の楽曲情報が更新されたと判別した場合には（Ｓ１１７：Ｙｅｓ）、現在記録されていた楽曲データのファイルを閉鎖させる（ステップＳ１１８）。
【００７６】
次に、受信装置１本体の電源がＯＦＦにされたか否かの判断を行う（ステップＳ１１９）。電源がＯＦＦにされていないと判別した場合には（Ｓ１１９：Ｎｏ）、上述のステップＳ１１１へ処理を戻し、電源がＯＦＦにされたと判別した場合には（Ｓ１１９：Ｙｅｓ）、このプログラムを終了する。
【００７７】
このような処理を行うことにより、ユーザが気に入った楽曲を記憶しておき、次回ラジオ放送にて流される場合に自動的に録音することができ、楽曲毎にファイルすることができるので、確実に録音したい楽曲を録音し、且つファイル管理を容易にすることができる。
【図面の簡単な説明】
【００７８】
【図１】本発明の実施の形態に係る受信システムの概略構成を示す図である。
【図２】本発明の実施の形態に係る受信装置の内部構成を示すブロック図である。
【図３】操作部の詳細を示す平面図である。
【図４】デジタル放送信号の流れを示す図である。
【図５】音声受信画像の作成を説明するための図である。
【図６】（ａ），（ｂ）は、選曲の変更を説明するための図である。
【図７】（ａ）、（ｂ）は、楽曲情報の記憶を説明するための図である。
【図８】本発明に係る受信装置を用いて予め設定した音楽の録音を行う様子を示す図である。
【図９】本発明に係る受信装置において受信した音楽を記録する際のファイル作成の方法を示す図である。
【図１０】放送受信中にユーザ１０の操作により記録が開始される場合の動作フローチャートである。
【図１１】データベースに登録された楽曲が放送された際に自動的に記録が開始される場合の動作フローチャートである。
【符号の説明】
【００７９】
１、受信装置  １ａ、ヒンジ部  ２、放送基地局  ３、放送衛星  ４、本体部
５、ラップトップ部  ６、操作部  ７、スピーカ  ８、ヘッドホン端子  ９、スロット
１０、ユーザ  １１、アンテナ  １２、チューナ  １３、ＴＳデータ分離部
１５、メモリーカードコントローラ  １６、内部記憶部
１８、グラフィックコントローラ  １９、表示部  ２０、コンバータ  ２１、音声出力部
２２、外部記憶装置  ６０、カーソルボタン  ６１ａ〜６１ｄ、三角マーク
６２、決定ボタン  ６３、バックボタン  ６４、番組リストボタン
６５ａ〜６５ｄ、その他のボタン  １００、音声受信画面  １１０、選択項目表示エリア
１１１、項目  １１２、現在時刻  １２０、受信中表示エリア  １３０、リスト画面
１３１、カーソル  １３２、受信中マーク  １４０、操作案内部  １４１、選択
１４２、表示切換  １４３、決定  １４４、キャンセル
１５０、曲名・アーティスト名記憶画面  １５１、曲名表示
１５２、アーティスト名表示  １５３、記録選択表示  １５４、ＣＨ切替選択表示
１６１、アーティスト名表示  １６２、曲名表示  １６３、記録選択表示
１６４、ＣＨ切替選択表示  １７０、音楽番組  １７１、楽曲１  １７２、楽曲２
１７３、楽曲３  １７４、楽曲４  １７５、楽曲５  １８１、録音データ
１８２、楽曲２データ  １８３、楽曲３データ  １８４、楽曲４データ
２０１、チャンネル情報  ２０２、楽曲情報  ２０３、放送中楽曲情報
【図１】
2007124039.tif 000003
【図２】
2007124039.tif 000004
【図３】
2007124039.tif 000005
【図４】
2007124039.tif 000006
【図５】
2007124039.tif 000007
【図６】
2007124039.tif 000008
【図７】
2007124039.tif 000009
【図８】
2007124039.tif 000010
【図９】
2007124039.tif 000011
【図１０】
2007124039.tif 000012
【図１１】
2007124039.tif 000013